(57)【要約】      （修正有）【課題】回路基板上の湾曲したシールドを有するシステム及び金属フェンスを提供する。【解決手段】システムは、湾曲した回路基板を、該回路基板上に搭載され、かつ該回路基板の第１の導電性トレースに電気的に接続される少なくとも１つの電子部品と共に含む。システムは、回路基板に適合されて取り付けられ、かつ少なくとも１つの電子部品を囲む導電性の湾曲したフェンスを含む。フェンスは、回路基板の異なる第２の導電性トレースに電気的に接続される。システムは、フェンスの上面に適合されて取り付けられる導電性の蓋をさらに含む。導電性の蓋は、少なくとも１つの電子部品を覆う。フェンスは、少なくともフェンスの外周の第１の部分に沿って配置される複数の互いに離間された第１のタブ４１６を備える。第１のタブ４１６のそれぞれは、自由端を有し、導電性の蓋または回路基板に取り付けられる。【選択図】図４Ａ
0003202336.tif 000002
【実用新案登録請求の範囲】
【請求項１】
湾曲した回路基板（２１０、３１０）と、
前記回路基板上に搭載され、前記回路基板の第１の導電性トレースに電気的に接続された少なくとも１つの電子部品（３１５ａ、３１５ｂ、３１５ｃ）と、
前記回路基板に適合されて取り付けられ、前記少なくとも１つの電子部品を囲む導電性の湾曲したフェンス（２４０、３２０、４２０、５００）であって、前記回路基板の異なる第２の導電性トレースに電気的に接続されたフェンスと、
前記フェンスの上面（３２２）に適合されて取り付けられ、前記少なくとも１つの電子部品を覆う導電性の蓋（２５０）であって、前記フェンスが、前記フェンスの外周（４２９、５６０）の少なくとも第１の部分（４２８、５１３）に沿って配置された複数の互いに離間された第１のタブ（３４０、４１６、４２６、５１２）を備え、前記第１のタブのそれぞれが、自由端（４４２、５４２）を有し、前記導電性の蓋または前記回路基板に取り付けられている、導電性の蓋（２５０）と
を備える、システム（２００、３００）。
【請求項２】
前記湾曲した回路基板が、剛体である、請求項１に記載のシステム。
【請求項３】
前記湾曲した回路基板が、部分円筒の形状を有する、請求項１に記載のシステム。
【請求項４】
前記回路基板上に搭載され、前記導電性の湾曲したフェンスによって囲まれ、前記導電性の蓋によって覆われた複数の電子部品を備える、請求項１に記載のシステム。
【請求項５】
前記第１のタブ（４２６、５１２）のそれぞれが、
前記回路基板と実質的に平行な水平部（４４３、５４３）と、
前記回路基板に対して実質的に垂直な垂直部（４４４、５４４）と、
前記水平部と前記垂直部とを結合する肘部（４４５、５４５）であって、前記第１のタブの前記水平部が、前記導電性の蓋または前記回路基板に取り付けられている、肘部（４４５、５４５）と
を備える、請求項１に記載のシステム。
【請求項６】
前記水平部（５４３）が、前記第１のタブの前記自由端（５４２）で終端している、請求項５に記載のシステム。
【請求項７】
前記垂直部（４４４）が、前記第１のタブの前記自由端（４４２）で終端している、請求項５に記載のシステム。
【請求項８】
前記第１のタブのそれぞれの前記水平部および前記垂直部の一方が、前記導電性の蓋に取り付けられており、前記第１のタブの前記水平部および前記垂直部の他方が、前記回路基板に取り付けられている、請求項５に記載のシステム。
【請求項９】
前記湾曲したフェンスが、前記湾曲したフェンスの前記外周の前記第１の部分に沿って連続的に延在する、前記回路基板と平行な細長い連続部（５４６）を備え、前記第１のタブのそれぞれが、前記フェンスの前記細長い連続部および前記複数の第１のタブの一方が、前記導電性の蓋に取り付けられ、前記フェンスの前記細長い連続部および前記複数の第１のタブの他方が、前記回路基板に取り付けられるように、前記フェンスの前記連続的な水平部から延在する、請求項１に記載のシステム。
【請求項１０】
前記第１のタブのそれぞれが、
前記回路基板と実質的に平行な上部水平部（５４３）と、
前記回路基板と実質的に平行な底部水平部（５４６）と、
前記上部水平部と前記底部水平部とを結合する、前記回路基板に対して実質的に垂直な垂直部（５４４）であって、前記上部水平部が、前記導電性の蓋に取り付けられており、前記底部水平部が、前記回路基板に取り付けられている、垂直部（５４４）と
を備える、請求項１に記載のシステム。
【請求項１１】
前記フェンスが、前記フェンスの前記外周の異なる第２の部分に沿って配置された複数の互いに離間された第２のタブ（４２３、５２２）をさらに備え、前記第２のタブのそれぞれが、自由端（４７３、５７２）で終端しており、前記第１のタブが、前記第２のタブよりも狭くなっている、請求項１に記載のシステム。
【請求項１２】
前記フェンスの前記外周が、複数の側部を有する多角形であり、前記複数の互いに離間された第１のタブが、前記外周のある側部に沿って配置されており、前記複数の互いに離間された第２のタブが、前記外周の隣接する側部に沿って配置されている、請求項１１に記載のシステム。
【請求項１３】
湾曲した回路基板上に適合させて搭載し、前記回路基板上に搭載された電子部品を囲むための可撓性の矩形の金属フェンス（４１０、４２０、５００）であって、該金属フェンスが、互いに対向する平行な第１の側部（４１２、４２２、５１０）および互いに対向する平行な第２の側部（４１４、４２４、５２０）を備え、前記第１の側部のそれぞれが、複数の互いに離間されたより狭い第１のタブ（４１６、４２６、５１２）を備え、前記第２の側部のそれぞれが、複数の互いに離間されたより広い第２のタブ（４１８、４２３、５２２）を備え、前記第１のタブおよび前記第２のタブのそれぞれが、自由端（４７３、５７２）を有する、可撓性の矩形の金属フェンス（４１０、４２０、５００）。
【請求項１４】
前記第１の側部および前記第２の側部の少なくとも一方が、概ねＬ字形状である、請求項１３に記載の可撓性の矩形の金属フェンス。
【請求項１５】
前記第１の側部および前記第２の側部のそれぞれが、概ねＬ字形状である、請求項１３に記載の可撓性の矩形の金属フェンス。
【請求項１６】
前記第１の側部が、概ねＳ字形状であり、前記第２の側部が、概ねＬ字形状である、請求項１３に記載の可撓性の矩形の金属フェンス。
【考案の詳細な説明】
【技術分野】
【０００１】
本開示は、一般に、湾曲した回路基板システムの回路基板シールドに関する。
【背景技術】
【０００２】
一部の回路基板システムは、湾曲した設計を含む。例えば、人体に装着されるように構成されたウェアラブル電子機器は湾曲している場合がある。他の種類の装置も、湾曲した構造を有する場合がある。
【考案の概要】
【考案が解決しようとする課題】
【０００３】
回路基板は、幾分かの可撓性を示し得るが、回路基板用のシールドは、あまりに硬いので、特定の湾曲した形状に折り曲げることができない。
【課題を解決するための手段】
【０００４】
一部の実施形態は、湾曲した回路基板を含むシステムに関わる。本システムは、回路基板上に搭載され、かつ回路基板の第１の導電性トレースに電気的に接続される少なくとも１つの電子部品を含む。本システムは、回路基板に適合されて取り付けられ、かつ少なくとも１つの電子部品を囲む導電性の湾曲したフェンス（ｆｅｎｃｅ）を含む。フェンスは、回路基板の異なる第２の導電性トレースに電気的に接続される。本システムは、フェンスの上面に適合されて取り付けられる導電性の蓋をさらに含む。導電性の蓋は、少なくとも１つの電子部品を覆う。フェンスは、少なくともフェンスの外周の第１の部分に沿って配置された複数の互いに離間された第１のタブを備える。第１のタブのそれぞれは、自由端を有し、導電性の蓋または回路基板に取り付けられる。
【０００５】
一部の実施形態は、湾曲した回路基板上に適合させて搭載し、回路基板上に搭載された電子部品を囲むための可撓性の矩形の金属フェンスに関わる。フェンスは、互いに対向する平行な第１の側部および互いに対向する平行な第２の側部を備える。
【図面の簡単な説明】
【０００６】
【図１】一部の実施形態に係るシールドを有する回路基板システムを示している。
【図２】本明細書で説明されている様々な実施形態に係る折り曲げ可能な回路基板システムを示している。
【図３】一部の態様に係る、図２の折り曲げ可能な回路基板システムのより詳細な図を示している。
【図４Ａ】本明細書で説明されている実施形態に係る湾曲したシールドフェンスを示している。
【図４Ｂ】様々な態様に係る第１の折り曲げ可能なシールドフェンスを示している。
【図４Ｃ】様々な態様に係る第１の折り曲げ可能なシールドフェンスを示している。
【図４Ｄ】様々な態様に係る第１の折り曲げ可能なシールドフェンスを示している。
【図４Ｅ】様々な態様に係る第１の折り曲げ可能なシールドフェンスを示している。
【図４Ｆ】様々な態様に係る第１の折り曲げ可能なシールドフェンスを示している。
【図５Ａ】様々な実施形態に係る折り曲げることができる第２のシールドフェンスを示している。
【図５Ｂ】様々な実施形態に係る折り曲げることができる第２のシールドフェンスを示している。
【図５Ｃ】様々な実施形態に係る折り曲げることができる第２のシールドフェンスを示している。
【図５Ｄ】様々な実施形態に係る折り曲げることができる第２のシールドフェンスを示している。
【図５Ｅ】様々な実施形態に係る折り曲げることができる第２のシールドフェンスを示している。
【考案を実施するための形態】
【０００７】
図は、必ずしも一定の縮尺ではない。図で使用されている同じ数字は、同じ構成要素を示している。しかしながら、ある図の構成要素を示すための数字の使用は、同じ数字が付された、別の図の構成要素を限定するためのものではないことを理解されたい。
【０００８】
図１は、部品１２０を有する回路基板１１０（例えば、プリント基板（ＰＣＢ））を有する回路基板システム１００を示している。回路基板１１０からの電磁ノイズ１３０は、シールド（例えば、コントローラ・エリア・ネットワーク（ＣＡＮ）シールド）を用いてシールドされてもよい。シールドは、シールドフェンス部１４０および上板部１５０を含む。
【０００９】
折り曲げ可能な電子機器に使用するのに適したシステムを形成するために、シールド（例えば、ＣＡＮシールド）は、折り曲げ可能に設計されてもよい。折り曲げ可能なシステムは、ウォッチ、グラスなどのウェアラブル装置を含んでもよい。また、折り曲げ可能なシステムは、湾曲した設計を有するモバイル装置および／または固定装置に適用可能であり得る。回路基板のシールドにスロットを追加することにより、回路基板が湾曲した構成を有することが可能となり得る。
【００１０】
図２は、湾曲した回路基板２１０を有する回路基板システム２００を示している。また、システム２００は、湾曲した、折り曲げ可能な、および／または可撓性のシールドフェンス部２４０を備えるシールド２６０を含む。様々な実施態様によれば、シールドフェンス部２４０は、金属を含む。シールド２６０は、上板部２５０を含む。上板部は、伸縮性および／または可撓性の導電性の蓋テープを備えてもよい。蓋テープは、アクリル系接着剤を含んでもよい。蓋テープは、例えば、導電性の不織テープであってもよく、および／または導電性粒子を含んでもよい。
【００１１】
図３は、湾曲した回路基板３１０を含む回路基板システム３００の一部を示している。場合により、湾曲した回路基板は、剛体である。湾曲した回路基板は、湾曲した形状に折り曲げることができてもよく、および／または、回路基板は、可撓性であってもよい。湾曲した回路基板３１０は、例えば、部分円筒（ｐａｒｔｉａｌ  ｃｙｌｉｎｄｅｒ）の形状を有してもよい。湾曲した回路基板３１０は、回路基板３１０上に配置された少なくとも１つの電子部品３１５ａ、３１５ｂ、３１５ｃを有する。図３は、３つの電子部品を示しているが、回路基板システムは、回路基板上により多くのまたはより少ない電子部品を含んでもよいことを理解されたい。電子部品３１５ａ、３１５ｂ、３１５ｃは、回路基板３１０上に搭載されており、また、少なくとも回路基板３１０の第１の導電性トレースに電気的に接続されている。
【００１２】
導電性の湾曲したフェンス３２０は、回路基板３１０に適合されて取り付けられており、少なくとも１つの電子部品３１５ａ、３１５ｂ、３１５ｃを囲んでいる。導電性フェンスは、回路基板上の電子部品のすべてを囲んでもよいし、あるいは回路基板上の電子部品の一部を囲んでもよい。フェンス３２０は、少なくとも回路基板３１０の第２の導電性トレースに電気的に接続されてもよい。第２の導電性トレースは、第１の導電性トレースと異なってもよい。フェンス３２０は、少なくともシールドフェンス３２０の外周の第１の部分に沿って配置された複数の互いに離間された第１のタブ３４０を含む。
【００１３】
導電性の蓋３３０は、シールドフェンス３２０の上面３２２に適合されて取り付けられている。導電性の蓋３３０は、電子部品３１５ａ、３１５ｂ、３１５ｃの少なくとも１つを覆う。様々な実施態様によれば、フェンス３２０は、回路基板３１０上の電子部品のすべてを囲み、導電性の蓋は、回路基板の電子部品のすべてを覆う。第１のタブ３４０のそれぞれは、導電性の蓋３３０および／または回路基板３１０に取り付けられる。
【００１４】
図４Ａは、本明細書で説明されている実施形態に係る湾曲したシールドフェンス４１０を示している。シールドフェンス４１０は、シールドフェンス４１０の外周の第１の部分に配置された第１の側部４１２およびシールドフェンス４１０の外周の第２の部分に沿って配置された第２の側部４１４を有する。第１の側部４１２は、複数の互いに離間された第１のタブ４１６を有する。第２の側部４１４は、複数の互いに離間された第２のタブ４１８を有する。様々な実施態様によれば、第１のタブ４１６の幅は、回路基板と平行な軸線に沿って第２のタブ４１８よりも狭くされる。
【００１５】
様々な実施態様によれば、システムは、折り曲げ可能なおよび／または可撓性のシールドフェンスを含む。図４Ｂは、様々な実施形態に係る折り曲げ可能および／または可撓性であってもよいシールドフェンス４２０を示している。図４Ａと同様に、シールドフェンス４２０は、シールドフェンス４２０の外周４２９の第１の部分４２８に配置された第１の平行な側部４２２およびシールドフェンス４２０の外周４２９の第２の部分４２７に沿って配置された第２の平行な側部４２４を含む。第１の平行な側部４２２は、複数の互いに離間された第１のタブ４２６を有する。第２の平行な側部４２４は、複数の互いに離間された第２のタブ４２３を有する。図４Ｂは、シールドフェンス４２０が、概ね矩形の形状を有することを示しているが、シールドフェンスは、任意の形状を有してもよいことを理解されたい。例えば、シールドフェンスは、六角形の一般的な形状および／または円形を有してもよい。
【００１６】
図４Ｃは、一部の実施態様に係るシールドフェンス４２０の第１の側部の一方の側面図を示している。上で説明したように、シールドフェンス４２０は、オープンスペース４３４によって互いに分離された複数の第１のタブ４２６を有する。様々な実施形態によれば、オープンスペース４３４は、第１のタブ４４０のそれぞれの間に実質的に均等な幅を有してもよい。一部の実施形態において、オープンスペースの少なくとも一部は、他のオープンスペースと異なる幅を有してもよい。
【００１７】
図４Ｄは、シールドフェンス４２０の第１の側部４２２に複数の第１のタブ４２６を有するシールドフェンス４２０の部分のより詳細な斜視図を示している。第１のタブ４２６のそれぞれは、回路基板と実質的に平行な水平部４４３を含む。第１のタブ４２６のそれぞれは、回路基板に対して実質的に垂直な垂直部４４４を含む。第１のタブ４２６のそれぞれの幅は、他の第１のタブと同じであってもよいし、あるいは、第１のタブの少なくとも一部は、他の第１のタブと異なる幅を有してもよい。垂直部４４４は、第１のタブ４２６の自由端４４２で終端している。第１のタブ４２６のそれぞれの自由端４４２は、垂直部４４４の残りと異なる幅を有してもよい。例えば、図４Ｄは、第１のタブ４２６の自由端４４２が、垂直部４４４よりも狭くなっていることを示している。場合により、第１のタブ４２６の自由端４４２は、垂直部４４４の残りと同じ幅を有する。第１のタブ４２６のそれぞれは、水平部４４３と垂直部４４４とを結合している肘部４４５を含む。様々な実施態様によれば、第１のタブ４２６の水平部４４３は、導電性の蓋および／または回路基板に取り付けられる。一部の実施形態において、第１のタブ４２６のそれぞれの水平部４４３および垂直部４４４の一方が、導電性の蓋に取り付けられ、第１のタブ４２６の水平部４４３および垂直部４４４の他方が、回路基板に取り付けられる。
【００１８】
また、図４Ｄは、シールドフェンス４２０の第２の側部４２４にある少なくとも１つの第２のタブ４２３を示している。一部の実施態様において、第２のタブ４２３は、第１のタブの少なくとも１つよりも広くされる。第２のタブ４４６は、一部の実施形態において第１のタブのすべてより広くてもよい。シールドフェンスの外周は、複数の側部を有する多角形であってもよい。複数の互いに離間された第１のタブ４２６は、外周４２９のある側部４２２に沿って配置されてもよく、複数の互いに離間された第２のタブ４２３は、外周４２９の隣接する側部４２４に沿って配置されてもよい。
【００１９】
図４Ｅおよび図４Ｆは、それぞれ、図４Ａ〜図４Ｄに関連して説明された第１のタブ４２６の上面図および側面図を示している。図４Ｅは、第１の側部４２２および第２の側部４２４を有するシールドフェンス４２０の部分の上面図を示している。第１の側部４２２は、外周４２９に沿って複数の互いに離間された第１のタブ４２６を含む。図４Ｆは、シールドフェンス４２０の第１の側部４２２における外周４２９に沿った複数の互いに離間された第１のタブ４２６を有するシールドフェンス４２０の部分の側面図を示している。
【００２０】
図５Ａ〜図５Ｅは、様々な実施形態に係る折り曲げ可能なおよび／または可撓性のシールドフェンス５００を示している。図５Ａは、シールドフェンス５００の外周５６０の第１の部分５１３に配置された第１の平行な側部５１０およびシールドフェンスの外周５６０の第２の部分５１４に沿って配置された第２の平行な側部５２０を有するシールドフェンス５００を示している。第１の側部５１０は、互いに離間された第１のタブ５１２を有する。第２の側部５２０は、互いに離間された第２のタブ５２２を有する。図５Ａは、概ね矩形の形状を有するシールドフェンス５００を示しているが、シールドフェンスは、任意の形状を有してもよいことを理解されたい。場合により、第１の側部５１０および第２の側部５２０の少なくとも一方は、概ねＬ字形状である。様々な実施態様よれば、第１の側部５１０および第２の側部５２０のそれぞれは、概ねＬ字形状である。場合により、第１の側部５１０は、概ねＳ字形状であり、第２の側部５２０は、概ねＬ字形状である。第２の側部５２０は、概ねＳ字形状であってもよく、第１の側部は、概ねＬ字形状である。第１の側部５１０および第２の側部５２０のそれぞれは、一部の構成において概ねＳ形状であってもよい。
【００２１】
図５Ｂは、図５Ａのシールドフェンス５００のより詳細な図を示している。シールドフェンス５００は、複数の第１のタブ５１２を有する。第１のタブ５１２のそれぞれは、回路基板と実質的に平行な少なくとも１つの水平部５４３、５４６を含む。第１のタブ５１２のそれぞれは、回路基板に対して実質的に垂直な垂直部５４４を含む。第１のタブ５１２のそれぞれは、回路基板と平行な軸線に沿って同じ幅を有してもよいし、あるいは、第１のタブの１つ以上は、他の第１のタブと異なる幅を有してもよい。第１のタブ５１２のそれぞれは、回路基板と実質的に平行な上部水平部５４３を含んでもよい。場合により、上部水平部５４３は、第１のタブ５１２の自由端５４２で終端する。底部水平部５４６は、回路基板に対して実質的に垂直な垂直部５４４および上部水平部５４３と垂直部５４４とを結合する肘部５４５によって上部水平部５４３に結合されてもよい。様々な実施態様によれば、上部水平部５４３は、導電性の蓋に取り付けられ、底部水平部５４６は、回路基板に取り付けられる。
【００２２】
様々な実施態様によれば、底部水平部５４６は、回路基板と平行な、シールドフェンス５００の外周５６０の第１の部分５１３に沿って連続的に延在する細長い連続部である。第１のタブ５１２のそれぞれは、シールドフェンスの細長い連続部５４６および複数の第１のタブ５１２の一方が、導電性の蓋に取り付けられるようにシールドフェンスの細長い連続的な水平部５４６から延在している。フェンス５００の細長い連続部５４６および複数の第１のタブ５１２の他方は、回路基板に取り付けられる。
【００２３】
場合により、シールドフェンスは、シールドフェンス５００の外周５６０の第２の部分５１４に沿って配置された複数の互いに離間された第２のタブ５２２をさらに含む。第２のタブ５２２のそれぞれは、自由端５７２で終端する。場合により、第１のタブ５１２は、第２のタブ５２２よりも狭くされる。
【００２４】
図５Ｃおよび図５Ｄは、図５Ａおよび図５Ｂに関連して説明された第１のタブ５１２の異なる図を示している。図５Ｃは、第１の側部５１０および第２の側部５２０を有するシールドフェンス５００の上面図を示している。第１の側部５１０は、外周５６０に沿って複数の互いに離間された第１のタブ５１２を含む。図５Ｄは、シールドフェンス５００の第１の側部５１０における外周５６０に沿って複数の互いに離間された第１のタブ５１２を有するシールドフェンス５００の側面図を示している。図５Ｅは、図５Ａ〜図５Ｄに関連するシールドフェンス５００の異なる図を示している。シールドフェンス５００の第１の側部５１０は、第１の側部５１０における外周５６０に沿って互いに離間された第１のタブ５１２を有する。第２の側部５２０は、第２の側部５２０における外周５６０に沿って互いに離間された第２のタブを有してもよい。
【００２５】
（項目１）
湾曲した回路基板と、
回路基板上に搭載され、かつ前記回路基板の第１の導電性トレースに電気的に接続された少なくとも１つの電子部品と、
前記回路基板に適合されて取り付けられ、かつ前記少なくとも１つの電子部品を囲む導電性の湾曲したフェンスであって、前記回路基板の異なる第２の導電性トレースに電気的に接続されたフェンスと、
前記フェンスの上面に適合されて取り付けられ、かつ前記少なくとも１つの電子部品を覆う導電性の蓋であって、前記フェンスが、少なくとも前記フェンスの外周（４２９、５６０）の第１の部分に沿って配置された複数の互いに離間された第１のタブを備え、前記第１のタブのそれぞれが、自由端を有し、前記導電性の蓋または前記回路基板に取り付けられている導電性の蓋と
を備えるシステム。
【００２６】
（項目２）
前記湾曲した回路基板が、剛体である、項目１に記載のシステム。
【００２７】
（項目３）
前記湾曲した回路基板が、部分円筒の形状を有する、項目１または２に記載のシステム。
【００２８】
（項目４）
前記回路基板上に搭載され、前記導電性の湾曲したフェンスによって囲まれ、および前記導電性の蓋によって覆われた複数の電子部品を備える、項目１〜３のいずれか一項目に記載のシステム。
【００２９】
（項目５）
前記第１のタブのそれぞれが、
前記回路基板と実質的に平行な水平部と、
前記回路基板に対して実質的に垂直な垂直部と、
前記水平部と前記垂直部とを結合する肘部であって、前記タブの前記水平部が、前記導電性の蓋または前記回路基板に取り付けられている肘部と
を備える、項目１〜４のいずれか一項目に記載のシステム。
【００３０】
（項目６）
前記水平部が、前記タブの前記自由端で終端している、項目５に記載のシステム。
【００３１】
（項目７）
前記垂直部が、前記タブの前記自由端で終端している、項目５に記載のシステム。
【００３２】
（項目８）
前記タブのそれぞれの前記水平部および前記垂直部の一方が、前記導電性の蓋に取り付けられており、前記タブの前記水平部および前記垂直部の他方が、前記回路基板に取り付けられている、項目５に記載のシステム。
【００３３】
（項目９）
前記湾曲したフェンスが、前記回路基板と平行な、前記湾曲したフェンスの前記外周の前記第１の部分に沿って連続的に延在する細長い連続部を備え、前記第１のタブのそれぞれが、前記フェンスの前記細長い連続部および前記複数の第１のタブの一方が、前記導電性の蓋に取り付けられ、前記フェンスの前記細長い連続部および前記複数の第１のタブの他方が、前記回路基板に取り付けられるように前記フェンスの前記連続的な水平部から延在する、項目請求項１〜５のいずれか一項目に記載のシステム。
【００３４】
（項目１０）
前記第１のタブのそれぞれが、
前記回路基板と実質的に平行な上部水平部と、
前記回路基板と実質的に平行な底部水平部と、
前記上部水平部と前記底部水平部とを結合する、前記回路基板に対して実質的に垂直な垂直部であって、前記上部水平部が、前記導電性の蓋に取り付けられており、前記底部水平部が、前記回路基板に取り付けられている垂直部と
を備える、項目１〜５のいずれか一項目に記載のシステム。
【００３５】
（項目１１）
前記フェンスが、前記フェンスの前記外周の異なる第２の部分に沿って配置された複数の互いに離間された第２のタブをさらに備え、前記第２のタブのそれぞれが、自由端で終端しており、前記第１のタブが、前記第２のタブよりも狭い、項目１〜１０のいずれか一項目に記載のシステム。
【００３６】
（項目１２）
前記フェンスの前記外周が、複数の側部を有する多角形であり、前記複数の互いに離間された第１のタブが、前記外周のある側部に沿って配置されており、前記複数の互いに離間された第２のタブが、前記外周の隣接する側部に沿って配置されている、項目１１に記載のシステム。
【００３７】
（項目１３）
湾曲した回路基板上に適合させて搭載し、前記回路基板上に搭載された電子部品を囲むための可撓性の矩形の金属フェンスであって、該フェンスが、互いに対向する平行な第１の側部および互いに対向する平行な第２の側部を備え、前記第１の側部のそれぞれが、複数の互いに離間されたより狭い第１のタブを備え、前記第２の側部のそれぞれが、複数の互いに離間されたより広い第２のタブを備え、前記第１のタブおよび前記第２のタブのそれぞれが、自由端を有する可撓性の矩形の金属フェンス。
【００３８】
（項目１４）
前記第１の側部および前記第２の側部の少なくとも一方が、概ねＬ字形状である、項目１３に記載の可撓性の矩形の金属フェンス。
【００３９】
（項目１５）
前記第１の側部および前記第２の側部のそれぞれが、概ねＬ字形状である、項目１３または１４に記載の可撓性の矩形の金属フェンス。
【００４０】
（項目１６）
前記第１の側部が、概ねＳ字形状であり、前記第２の側部が、概ねＬ字形状である、項目１３または１４に記載の可撓性の矩形の金属フェンス。
【００４１】
別段の指示がない限り、本明細書および特許請求の範囲で使用されている特徴、サイズ、量、および物理的特性を表すすべての数は、すべての場合に用語「約（ａｂｏｕｔ）」によって修飾されているものとして理解されるべきである。したがって、反する指示がない限り、上記の本明細書および添付の特許請求の範囲で述べられている数値パラメータは、本明細書に開示されている教示を利用する当業者が得ようとする所望の特性に応じて変更されてもよい近似である。端点に基づく数値範囲の使用は、その範囲内のすべての数を含み（例えば、１〜５は、１、１．５、２、２．７５、３、３．８０、４、および５を含む）、またその範囲内の任意の範囲を含む。
【００４２】
上述した実施形態の様々な修正例および変形例は、当業者には明らかであり、本開示が、本明細書で述べられている例証的な実施形態に限定されないことが理解されるべきである。読者は、開示されている一実施形態の特徴は、別段の指示がない限り、開示されている他のすべての実施形態にも適用され得ると考えるべきである。また、本明細書で参照されているすべての米国の特許、特許出願、特許出願公開、ならびに他の特許文書および非特許文書は、それらが上記の開示と矛盾しない範囲で参照により組み込まれることが理解されるべきである。
【符号の説明】
【００４３】
１００、２００、３００…回路基板システム
１１０…回路基板
１２０…部品
１３０…電磁ノイズ
１４０…シールドフェンス部
１５０、２５０…上板部
２１０、３１０…湾曲した回路基板
２４０…湾曲した、折り曲げ可能な、および／または可撓性のシールドフェンス部
２６０…シールド
３１５ａ、３１５ｂ、３１５ｃ…電子部品
３２０、４１０、４２０、５００…シールドフェンス
３２２…シールドフェンスの上面
３３０…導電性の蓋
３４０、４１６、４２６、５１２…第１のタブ
４１２、４２２、５１０…第１の側部
４１４、４２４、５２０…第２の側部
４１８、４２３、５２２…第２のタブ
４２７、５１４…シールドフェンスの外周の第２の部分
４２８、５１３…シールドフェンスの外周の第１の部分
４２９、５６０…シールドフェンスの外周
４３４…オープンスペース
４４２、５４２…第１のタブの自由端
４４３、５４３…水平部
４４４、５４４…垂直部
４４５、５４５…肘部
４７３、５７２…第２のタブの自由端
５４６…底部水平部
【図１】
0003202336.tif 000003
【図２】
0003202336.tif 000004
【図３】
0003202336.tif 000005
【図４Ａ】
0003202336.tif 000006
【図４Ｂ】
0003202336.tif 000007
【図４Ｃ】
0003202336.tif 000008
【図４Ｄ】
0003202336.tif 000009
【図４Ｅ】
0003202336.tif 000010
【図４Ｆ】
0003202336.tif 000011
【図５Ａ】
0003202336.tif 000012
【図５Ｂ】
0003202336.tif 000013
【図５Ｃ】
0003202336.tif 000014
【図５Ｄ】
0003202336.tif 000015
【図５Ｅ】
0003202336.tif 000016